(57)【要約】【課題】  各種メ−タ−類で、デジタル信号波で入力された信号値を数値として表示するメ−タ−において、メーター上に表示された数値が任意に設定した数値と同数になるか超した場合、電子音、または肉声（以下音声と呼ぶ）により、メーター上に表示された数値を告知したり、任意に設定した数値を音声により告知を必要とする。【解決手段】入力されるデジタル信号値は、ダイオードの組み合わせによりその数値が検知できる。そこで、メーターに入力されるデジタル入力信号をメーターに入力される直前に検知することにより、メーター上に表示される数値を知ることができるので、任意に数値を設定して、設定した数値がメーター上に表示される数値と同数になるか、超した場合、音声により検知した数値か、任意に設定した数値を告知する。【選択図】図１
0003109221.tif 000002
【実用新案登録請求の範囲】
【請求項１】
デジタル信号波をメーター上に数値として表示するメーターにおいて、デジタル信号波がメーターに入力される以前に、デジタル信号検出部にダイオードを組み合わせて検知することにより、メーターに任意の数値を設定し、検知した数値が設定数値または数値が超過した場合には、音声により、検知した数値や設定数値を告知し、知りたい数値がメーター上に表示されると、音声でも教えるメーター。
【考案の詳細な説明】
【技術分野】
【０００１】  本考案は、各種メーターに表示される数値が任意に設定した数値を超すか同数になると、音声により、メーター上の数値か任意に設定した数値を告知する装置に関するものである。
【背景技術】
【０００２】  各種メーター上に表示されている数値は、いろいろわかりやすく工夫されているが、メーター上に表示されている数値を知るには、直接メーターを視認しなくては、確かな数値は知ることができない。【０００３】  作業中、メーターに表示されている数値を知りたい場合、常時メーターを見ているか、その作業を中断してメーターを見なければならない。【０００４】  煩瑣な作業や同時にいくつかの作業を行っている場合に、メーターをみることができないし、ついうっかりしてメーターに表示されている数値を見過ごす場合がある。【０００５】  メーターに表示されている数値は、デジタル信号により入力されたものをメーター上に数字として表示している。【０００６】  従来カーナビゲーション装置の制御を音声認識装置で認識された制御言動で行われることが知られているし、ＧＰＳ衛星よりの電波を受信して位置を知ることも知られている。
【参考、特許実用考案】
【０００７】
【特許分献１】
特開２００３−３１５３８２号公報
【特許分献２】
特開平８−０４３１４３号公報
【特許分献３】
特開平６−２２９７８４号広報
【特許分献４】
特開平８−１３６６４０号広報
【特許分献５】
特開昭６３−２０８０９２号広報
【考案の開示】
【考案が解決しようとする課題】
【０００８】  従来使用されている各種メーター類では、メーター上に表示されている数値を知るためには、直接メーターを視認しなくては確かな数値は知ることができない。【０００９】  ＧＰＳを利用しないメーターにおいてデジタル信号で入力された符号をメーター上に数値として表示されるのと同数値をメーターに入力される前に知ることができる。
【課題を解決するための手段】
【００１０】  本考案は、上記した点に鑑み、なされたものであり、その、目的とするところは、メーター上に表示されている数値が、任意に設定した数値と同数か、超した場合、音声で告知することにより、メーターを見なくても、メーター上に表示されている数値を知ることができる。
【考案の効果】
【００１１】  ＧＰＳ、ＤＶＤ、カーナビゲーション等、デジタル信号を利用して、メーター類に数値で表示したり、音声で告知する方法は多々あるが、いずれも高価であるし、電波受信装置や、映像再生装置が必要である。そこで、簡単、安価に、メーター上に表示される数値が、任意に設定した数値と同数になるか、超した場合、メーター上に表示される知りたい数値を音声によって告知することにより、メーターの監視要員を不要とし、作業効率の向上、経費節減ができることを特徴とする。
【考案を実施するための最良の形態】
【００１２】  デジタル信号を入力し、メーター上に数値として表示するメーターは、各製造メーカーによって、メーター上に表示される数値は、デジタル信号の符号によって定まっている。メーターに入力されるデジタル信号は、ダイオードを組み合わせて検知することにより、符号がわかり、数値が特定できるから、メーター上に、デジタル信号によって入力され、表示される数値と同じ数値を得るためには、メーターに入力されるデジタル信号をメーターに入力される直前に検知することにより得られる。
【実施例】
【００１３】  図１は、デジタル信号がメーターに入力され、数値として表示されたものと同じ数値を得るため、デジタル信号でメーター上に入力される前に検知し、任意に設定した数値と、音声により検知した数値や任意に設定した数値を音声で告知するまでのブロック図である。【００１４】  メーター（１）に表示された数値と同数の値を得るために、（１）に入力される信号値を（１）に入る前に（２）で検知し、（２）で検知したデーターや（４）で設定されたデーターを（３）で確定し、（３）と（４）で確定された数値を（５）で音声として告知するための数値として認識し、（６）で音声により告知する。【００１５】  入力されたデジタル信号波を数値として、（１）のメーターに表示される数値は、メーター（１）に入力されるデジタル信号を、メーター上に入力される前に（２）のダイオードの組み合わせにより検知することができ、（２）で入力信号を検知し、メーターに表示されている数値と同じ数値を得ることができる。【００１６】  図１のデジタル信号検出部（２）で検知し得られたデーターと、制御部（４）で設定した任意の数値のデーターを、（３）のＣＰＵ部で演算処理し数値を確定する。【００１７】  図１（３）と（４）で演算し確定した数値を（５）で認識する。【００１８】  図１（５）で認識された数値を（６）で音声により告知する。【００１９】  図２は、（２）のデジタル信号検出部であり、ダイオードを組み合わせた図である。例として入力デジタル信号値１０００を検知した場合は、（イ）のダイオードがＯＮになり、入力デジタル信号値２０００を検知した場合は、（ロ）のダイオードがＯＮになり、入力デジタル信号値３０００を検知した場合は、（ハ）のダイオードがＯＮになる。このように、ダイオードを組み合わせ、配列することにより、信号値を数値として特定できる。【００２０】  図４は、制御部（任意の数値の設定部）の説明である。例えば、５０スタートを設定し、６０を超えるとストップの設定をするとする。
プログラム  →    １    →    ＥＮＴ    →    スタート
５      →    ０    →    ＥＮＴ    →    ストップ
６      →    ０    →    ＥＮＴ
１は５０でスタート、６０でストップのプログラムナンバーである。【００２１】  図５は、設定した数値や検知した数値を認識して演算し、確定した数値を告知作動終了までの図である。【００２２】  図１（５）のプログラムの設定は、入力→設定開始数値→入力→設定停止数値→入力→数値を音声として告知の設定→告知動作ＯＮ／告知動作ＯＦＦとする。
【産業上の利用可能性】
【００２３】  作業中、任意の数値になれば、音声によりその数値が告知されるので、作業の効率が図れ、同時に多種の作業が可能になる。【００２４】  遠洋鮪漁船が荒海でのローリング、ピッチングの激しい中で投縄作業中、枚数計を見なくても、任意の数値になれば、音声により告知されるので、投縄作業が効率よくできるし、その時点での投縄枚数が把握できるので餌などの無駄が省ける。【００２５】  遠洋漁船で広い海洋を任意の水温を求め、調査中、目的の水温にあたれば、音声により告知されるので、常時水温計等のメーターを監視しなくてもよいから、航海当直が一人でできるなど、その他の作業が可能となる。
【図面の簡単な説明】
【図１】本考案の実施例である。入力デジタル信号が音声で告知されるまでのブロック図である。
【図２】ダイオードの配列図
【図４】制御部
【図５】数値を設定、認識し告知までのプログラム図
【符号の説明】
（１）メーター
（２）デジタル信号検知部（ダイオードの組み合わせ）
（３）ＣＰＵ（演算処理部）
（４）制御部（任意の数値の設定）
（５）プログラム部
（６）音声告知部
（イ）ダイオードの配列
（ロ）ダイオードの配列
（ハ）ダイオードの配列
【図１】
0003109221.tif 000003
【図２】
0003109221.tif 000004
【図４】
0003109221.tif 000005
【図５】
0003109221.tif 000006
【手続補正書】
【提出日】平成16年12月20日(2004.12.20)
【手続補正１】
【補正対象書類名】実用新案登録請求の範囲
【補正対象項目名】全文
【補正方法】変更
【補正の内容】
【実用新案登録請求の範囲】
【請求項１】
デジタル信号波をメーター上に数値として表示するメーターに、ダイオードを組み合わせデジタル信号を検知する装置等を作り、メーター上に表示されている数値を知ると共に、個々に任意の数値を設定できる装置等を設置し、この装置で設定した数値と、同一又は、その範囲、又は越した時、音声により告知することにより、音声でも教えるメーター。
【手続補正２】
【補正対象書類名】明細書
【補正対象項目名】全文
【補正方法】変更
【補正の内容】
【考案の詳細な説明】
【技術分野】
【０００１】  本考案は、各種メーターに表示される数値が任意に設定した数値を超すか同数になると、音声により、メーター上の数値か任意に設定した数値を告知する装置に関するものである。
【背景技術】
【０００２】  各種メーター上に表示されている数値は、いろいろわかりやすく工夫されているが、メーター上に表示されている数値を知るには、直接メーターを視認しなくては、確かな数値は知ることができない。【０００３】  作業中、メーターに表示されている数値を知りたい場合、常時メーターを見ているか、その作業を中断してメーターを見なければならない。【０００４】  煩瑣な作業や同時にいくつかの作業を行っている場合に、メーターをみることができないし、ついうっかりしてメーターに表示されている数値を見過ごす場合がある。【０００５】  メーターに表示されている数値は、デジタル信号により入力されたものをメーター上に数字として表示している。【０００６】  従来カーナビゲーション装置の制御を音声認識装置で認識された制御言動で行われることが知られているし、ＧＰＳ衛星よりの電波を受信して位置を知ることも知られている。
【参考、特許実用考案】
【０００７】
【特許分献１】
特開２００３−３１５３８２号公報
【特許分献２】
特開平８−０４３１４３号公報
【特許分献３】
特開平６−２２９７８４号広報
【特許分献４】
特開平８−１３６６４０号広報
【特許分献５】
特開昭６３−２０８０９２号広報
【考案の開示】
【考案が解決しようとする課題】
【０００８】  従来使用されている各種メーター類では、メーター上に表示されている数値を知るためには、直接メーターを視認しなくては確かな数値は知ることができない。【０００９】  ＧＰＳを利用しないメーターにおいてデジタル信号で入力された符号をメーター上に数値として表示されるのと同数値をメーターに入力される前に知ることができる。
【課題を解決するための手段】
【００１０】  本考案は、上記した点に鑑み、なされたものであり、その、目的とするところは、メーター上に表示されている数値が、任意に設定した数値と同数か、超した場合、音声で告知することにより、メーターを見なくても、メーター上に表示されている数値を知ることができる。
【考案の効果】
【００１１】  ＧＰＳ、ＤＶＤ、カーナビゲーション等、デジタル信号を利用して、メーター類に数値で表示したり、音声で告知する方法は多々あるが、いずれも高価であるし、電波受信装置や、映像再生装置が必要である。そこで、簡単、安価に、メーター上に表示される数値が、任意に設定した数値と同数になるか、超した場合、メーター上に表示される知りたい数値を音声によって告知することにより、メーターの監視要員を不要とし、作業効率の向上、経費節減ができることを特徴とする。
【考案を実施するための最良の形態】
【００１２】  デジタル信号を入力し、メーター上に数値として表示するメーターは、各製造メーカーによって、メーター上に表示される数値は、デジタル信号の符号によって定まっている。メーターに入力されるデジタル信号は、ダイオードを組み合わせて検知することにより、符号がわかり、数値が特定できるから、メーター上に、デジタル信号によって入力され、表示される数値と同じ数値を得るためには、メーターに入力されるデジタル信号をメーターに入力される直前に検知することにより得られる。
【実施例】
【００１３】  図１は、デジタル信号がメーターに入力され、数値として表示されたものと同じ数値を得るため、デジタル信号でメーター上に入力される前に検知し、任意に設定した数値と、音声により検知した数値や任意に設定した数値を音声で告知するまでのブロック図である。【００１４】  メーター（１）に表示された数値と同数の値を得るために、（１）に入力される信号値を（１）に入る前に（２）で検知し、（２）で検知したデーターや（４）で設定されたデーターを（３）で確定し、（３）と（４）で確定された数値を（５）で音声として告知するための数値として認識し、（６）で音声により告知する。【００１５】  入力されたデジタル信号波を数値として、（１）のメーターに表示される数値は、メーター（１）に入力されるデジタル信号を、メーター上に入力される前に（２）のダイオードの組み合わせにより検知することができ、（２）で入力信号を検知し、メーターに表示されている数値と同じ数値を得ることができる。【００１６】  図１のデジタル信号検出部（２）で検知し得られたデーターと、制御部（４）で設定した任意の数値のデーターを、（３）のＣＰＵ部で演算処理し数値を確定する。【００１７】  図１（３）と（４）で演算し確定した数値を（５）で認識する。【００１８】  図１（５）で認識された数値を（６）で音声により告知する。【００１９】  図２は、（２）のデジタル信号検出部であり、ダイオードを組み合わせた図である。例として入力デジタル信号値１０００を検知した場合は、（イ）のダイオードがＯＮになり、入力デジタル信号値２０００を検知した場合は、（ロ）のダイオードがＯＮになり、入力デジタル信号値３０００を検知した場合は、（ハ）のダイオードがＯＮになる。このように、ダイオードを組み合わせ、配列することにより、信号値を数値として特定できる。【００２０】  図３は、制御部（任意の数値の設定部）の説明である。例えば、５０スタートを設定し、６０を超えるとストップの設定をするとする。
0003109221.tif 000007
【００２１】  図４は、設定した数値や検知した数値を認識して演算し、確定した数値を告知作動終了までの図である。【００２２】  図１（５）のプログラムの設定は、入力→設定開始数値→入力→設定停止数値→入力→数値を音声として告知の設定→告知動作ＯＮ／告知動作ＯＦＦとする。
【産業上の利用可能性】
【００２３】  作業中、任意の数値になれば、音声によりその数値が告知されるので、作業の効率が図れ、同時に多種の作業が可能になる。【００２４】  遠洋鮪漁船が荒海でのローリング、ピッチングの激しい中で投縄作業中、枚数計を見なくても、任意の数値になれば、音声により告知されるので、投縄作業が効率よくできるし、その時点での投縄枚数が把握できるので餌などの無駄が省ける。【００２５】  遠洋漁船で広い海洋を任意の水温を求め、調査中、目的の水温にあたれば、音声により告知されるので、常時水温計等のメーターを監視しなくてもよいから、航海当直が一人でできるなど、その他の作業が可能となる。
【図面の簡単な説明】
【００２６】
【図１】本考案の実施例である。入力デジタル信号が音声で告知されるまでのブロック図である。
【図２】ダイオードの配列図
【図３】制御部
【図４】数値を設定、認識し告知までのプログラム図
【符号の説明】
【００２７】    （１）メーター
（２）デジタル信号検知部（ダイオードの組み合わせ）
（３）ＣＰＵ（演算処理部）
（４）制御部（任意の数値の設定）
（５）プログラム部
（６）音声告知部
（イ）ダイオードの配列
（ロ）ダイオードの配列
（ハ）ダイオードの配列
【手続補正３】
【補正対象書類名】図面
【補正対象項目名】全図
【補正方法】変更
【補正の内容】
【図１】
0003109221.tif 000008
【図２】
0003109221.tif 000009
【図３】
0003109221.tif 000010
【図４】
0003109221.tif 000011